(57)【要約】      （修正有）【課題】ネットの糸を細くしてゴミ収納具の製造コストを低減させる一方、カラス等の鳥類がネットに近づかないようにし、ネット内に収納したゴミ袋がカラス等の嘴による攻撃で破られないようにする鳥類忌避ゴミ収納具を提供する。【解決手段】略コの字形状に形成された第１枠体２と、略コの字形状に形成された第２枠体３と、第１枠体の開口側の一対の第１端部と第２枠体の開口側の一対の第２端部とを回動可能に連結する一対の回動軸９，９と、第１枠体内、第２枠体内及び第１枠体と第２枠体との間に張られたネット４と、を備えている。ネット４は、一対の回動軸９，９を中心として第１枠体２と第２枠体３を開いた状態でゴミ袋５０の投入が可能であって、閉じた状態ではゴミ袋５０を収納可能であり、そのネットの、地上面から鳥類の頭の高さ位置又はその近傍に一又は二以上の磁石２０を取り付けた。【選択図】図２
0003183186.tif 000002
【実用新案登録請求の範囲】
【請求項１】
略コの字形状に形成された第１枠体と、
略コの字形状に形成された第２枠体と、
前記第１枠体の開口側の一対の第１端部と前記第２枠体の開口側の一対の第２端部とを回動可能に連結する一対の回動軸と、
前記第１枠体内、前記第２枠体内及び前記第１枠体と前記第２枠体との間に張られたネットと、を備え、
前記ネットは、前記一対の回動軸を中心として前記第１枠体と前記第２枠体を開いた状態でゴミの投入が可能であって、閉じた状態では前記ゴミを収納可能であり、
前記ネットの、地上面から鳥類の頭の高さ位置又はその近傍に一又は二以上の磁石を取り付けた
ことを特徴とする鳥類忌避ゴミ収納具。
【請求項２】
前記ネットの前記磁石の取付位置は、前記地上面から１０ｃｍ以上２５ｃｍ以下である
ことを特徴とする請求項１記載の鳥類忌避ゴミ収納具。
【請求項３】
前記磁石の磁力は、１０００ガウスから１５００ガウスまでの範囲内である
ことを特徴とする請求項１記載の鳥類忌避ゴミ収納具。
【請求項４】
前記磁石は、複数の磁石片の組み合わせからなり、
前記複数の磁石片で前記ネットを挟持し、当該複数の磁石片を接着剤で固着した
ことを特徴とする請求項１記載の鳥類忌避ゴミ収納具。
【請求項５】
前記磁石に、前記ネットに対する固定手段を設け、
前記固定手段を用いて前記磁石を前記ネットに着脱可能に取り付けた
ことを特徴とする請求項１記載の鳥類忌避ゴミ収納具。
【請求項６】
前記ネットは、適当な間隔をあけて配置される多数の縦糸と、適当な間隔をあけて配置される多数の横糸とにより編成され、
前記多数の縦糸と前記多数の横糸により形成される網目の大きさは２０ｍｍから３０ｍｍの範囲内である
ことを特徴とする請求項１記載の鳥類忌避ゴミ収納具。
【考案の詳細な説明】
【技術分野】
【０００１】
本考案は、ゴミが詰められたゴミ袋等をコンパクトに収納できると共に、カラスやハト等の鳥類が近づかないようにして収納したゴミ袋等が鳥類の嘴で破かれて中のゴミが飛散されるのを防止することができる鳥類忌避ゴミ収納具に関する。
【背景技術】
【０００２】
従来からゴミ袋を収集する場所は地域で決められているが、そのゴミ収集場所において単にゴミ袋がまとめて置かれると、乱雑になって歩行者の通行の妨げになったりすることがある。また、ゴミ収集場所がカラスやハト等の鳥類の巣に近い場合には、飛来したカラス等がゴミ袋を破って中のゴミを散乱させることが多くあり、このような状態を放置すると、散らかされたゴミが腐敗して不衛生になったりするという問題があった。
【０００３】
従来の、この種のゴミ収納具としては、例えば、本願特許出願人が先に特許出願したもので、特許文献１に記載されているようなものがある。特許文献１には、ゴミ袋を圧縮して収納するゴミ収納具に関するものが記載されている。
この特許文献１に記載されたゴミ収納具は、一対の端部を有する略コの字形状の少なくとも一つの第１枠体と、少なくとも一つの第１枠体の一対の端部が回動可能に取り付けられる一対の角部を有する略矩形状の第２枠体と、第１枠体内、第２枠体内及び第１枠体と第２枠体との間に張られたネットと、を具備している。第１枠体及び第２枠体は、一対の角部間を回動軸として相対的に開閉可能であり、開いた状態でゴミの投入が可能であり、閉じた状態で両者間にゴミを収納する、ことを特徴としている。
【先行技術文献】
【特許文献】
【０００４】
【特許文献１】特開２００６−２１９２４７号公報  （第３−８頁、第１〜５図）
【考案の概要】
【考案が解決しようとする課題】
【０００５】
しかしながら、上述した従来のゴミ収納具においては、ネットを構成する糸が太くて丈夫であったため、カラスやハト等の鳥類の嘴による攻撃に対してネットが充分な抵抗力を備えており、収納したゴミ袋に対する鳥類からの防護機能を果たすことが可能であった。ところが、ネットの強度を充分に確保するために、ネットを形成する糸の材料として太くて丈夫なものが用いられていた。そのため、ネットが高価なものとなり、ゴミ収納具全体として高価なものになっているという問題があった。また、ゴミ収集場所にゴミ袋が乱雑に置かれると、車椅子や老人、子供達の通行の妨げになるという問題もある。
【０００６】
かかる問題点の対策としては、例えば、使用する糸を細くしてネットの価格を下げることが考えられる。しかしながら、ネットの糸を細くすると、ネット自体の強度が低下してしまうために、カラス等の嘴による攻撃に対して抵抗力が低下してしまう。そのため、ネットごとゴミ袋が破られて中のゴミが飛散してしまうおそれがあり、生ゴミが飛散してしまうと、ゴミの腐敗によってゴミ収集場所の周囲が不衛生になるおそれがある。
【０００７】
本考案は、このような従来の課題に鑑みてなされたものであり、ネットの糸を細くしてゴミ収納具の製造コストを低減させる一方、カラス等の鳥類がネットに近づかないように  してネット内に収納したゴミ袋がカラス等の嘴による攻撃で破られないようにし、衛生的で使い勝手の良いゴミ収納具を安価に提供できようにすることを目的とする。また、ネットを用いてゴミ袋を収集することにより、車椅子や老人、子供達の通行の妨げになるのを防ぐことができる。
【課題を解決するための手段】
【０００８】
上記課題を解決し、本考案の目的を達成するため、本考案の鳥類忌避ゴミ収納具は、略コの字形状に形成された第１枠体と、略コの字形状に形成された第２枠体と、第１枠体の開口側の一対の第１端部と第２枠体の開口側の一対の第２端部とを回動可能に連結する一対の回動軸と、第１枠体内、第２枠体内及び第１枠体と第２枠体との間に張られたネットと、を備えている。ネットは、一対の回動軸を中心として第１枠体と第２枠体を開いた状態でゴミの投入が可能であって、閉じた状態ではゴミを収納可能であり、そのネットの、地上面から鳥類の頭の高さ位置又はその近傍に一又は二以上の磁石を取り付けたことを特徴としている。
【０００９】
また、本考案の鳥類忌避ゴミ収納具は、限定されるわけではないが、ネットの磁石の取付位置は、地上面から１０ｃｍ以上２５ｃｍ以下であることが好ましい。同じく限定されるわけではないが、磁石の磁力は、１０００ガウスから１５００ガウスまでの範囲内であることが好ましい。磁石は、複数の磁石片の組み合わせからなり、複数の磁石片でネットを挟持し、その複数の磁石片を接着剤で固着した構成とすることができる。また、磁石に、ネットに対する固定手段を設け、その固定手段を用いて磁石をネットに着脱可能に取り付ける構成としてもよい。さらに、ネットは、適当な間隔をあけて配置される多数の縦糸と、適当な間隔をあけて配置される多数の横糸とにより編成され、多数の縦糸と多数の横糸により形成される網目の大きさは２０ｍｍから３０ｍｍの範囲内であることが好ましい。
【考案の効果】
【００１０】
本考案の鳥類忌避ゴミ収納具によれば、一対の回動軸を中心として第１枠体と第２枠体を開いた状態にすると、ネットの上側開口部が大きく開かれるため、その開口部からゴミの投入が可能であってゴミを収納することができ、また、第１枠体と第２枠体を閉じた状態にすると、ゴミが詰められたゴミ袋等を軽く圧縮してコンパクトに収納することができる。また、第１枠体と第２枠体に保持されているネットの地上面から鳥類の頭の高さ位置又はその近傍に一又は二以上の磁石を取り付けているため、ネットに近づく鳥類に対して磁石の磁力を作用させることができ、これにより、カラスやハト等の鳥類が近づかないようにすることができる。これにより、ネット内に収納したゴミ袋等が鳥類の嘴で破かれて中のゴミが飛散されるのを防ぎ、ゴミの腐敗によってゴミ収集場所の周囲が不衛生になるおそれを防止することができる。
【００１１】
更に、本考案の鳥類忌避ゴミ収納具によれば、ネットの磁石の取付位置を地上面から２５ｃｍ又はその近傍の高さに設定することにより、地上面から略２５ｃｍの高さ位置に頭があるカラスに対して、その磁石が発生する磁力をカラスの頭に作用させて、鳥類忌避ゴミ収納具に近づくのを防止することができる。また、ネットの磁石の取付位置を地上面から１０ｃｍ又はその近傍の高さに設定することにより、地上面から略１０ｃｍの高さ位置に頭があるハトに対して、その磁石が発生する磁力をハトの頭に作用させて、鳥類忌避ゴミ収納具に近づくのを防止することができる。
【００１２】
本考案の鳥類忌避ゴミ収納具によれば、磁石の磁力を１０００ガウスから１５００ガウスまでの範囲内に設定すると共に、ネットへの磁石の取付位置を、地上面から鳥類の頭の高さ（例えば、カラスの場合は２５ｃｍ、ハトの場合は１０〜１２ｃｍ程度）に設定することにより、この鳥類忌避ゴミ収納具が設置されるゴミ収納場所の周囲において磁石による電波障害等の弊害を発生することなく、カラスやハト等の鳥類が嫌がる磁石の磁場を必要な範囲内において発生させて、カラス等の鳥類が鳥類忌避ゴミ収納具に近づくのを効果的に防止することができる。
【００１３】
本考案の鳥類忌避ゴミ収納具によれば、磁石を複数の磁石片の組み合わせによって構成し、その複数の磁石片でネットを挟持して接着剤で固着する構成とすることにより、磁石をネットに簡単且つ確実に取り付けることができる。また、磁石に固定手段を設け、その固定手段を用いて磁石をネットに取り付けることにより、ネットに対して磁石を着脱自在に構成することができ、磁石の取付位置の調整や磁力の強度調整等を簡単且つ容易に行うことができる。
【００１４】
さらに、本考案の鳥類忌避ゴミ収納具によれば、適当な間隔をあけて配置される多数の縦糸と、適当な間隔をあけて配置される多数の横糸によってネットを編成すると共に、多数の縦糸と多数の横糸により形成される網目の大きさを２０ｍｍから３０ｍｍの範囲内に設定することにより、頭の大きさが３ｃｍよりやや大きいカラスや、頭の大きさが２ｃｍよりやや大きいハトが網目に頭を差し込むのを防ぎ、カラス等の頭が網目から抜け出なくなるおそれを防止することができる。
【図面の簡単な説明】
【００１５】
【図１】本考案の一実施例に係る鳥類忌避ゴミ収納具の分解斜視図である。
【図２】図１に示す鳥類忌避ゴミ収納具の使用状態を示す組立斜視図である。
【図３】図２に示す鳥類忌避ゴミ収納具の正面図である。
【図４】図２に示す鳥類忌避ゴミ収納具の磁石と鳥類との高さ関係を表した説明図である。
【図５】本考案の鳥類忌避ゴミ収納具に係る磁石の第１の実施例を示す球形磁石を説明するもので、図５Ａはネットへの球形磁石の取付状態を示す説明図、図５Ｂは球形磁石の接合面の第１の形態を示す一対の分割片の分解斜視図、図５Ｃは球形磁石の接合面の第２の形態を示す分割片の正面図、図５Ｄは球形磁石の接合面の第３の形態を示す分割片の正面図である。
【図６】本考案の鳥類忌避ゴミ収納具に係る２分割球形磁石の取付状態を説明するもので、図６Ａは割りピンによるピン結合方式、図６Ｂはロックピンの一端をカシメたカシメ方式、図６Ｃは固定ネジとナットを用いたねじ結合方式を示す、それぞれ説明図である。
【図７】本考案の鳥類忌避ゴミ収納具に係る複数の磁石の位置関係を表した説明図である。
【図８】本考案の鳥類忌避ゴミ収納具に係る磁石の第２〜第４の実施例を説明するもので、図８Ａはドーナッツ形磁石、図８Ｂは直方体形磁石、図８Ｃは球形磁石を示す、それぞれ説明図である。
【図９】本考案の鳥類忌避ゴミ収納具に係る枠体組立体の第２の実施例を示す側面図である。
【図１０】図９に示す第２の実施例に係る枠体組立体の組立工程を表した説明図である。
【考案を実施するための形態】
【００１６】
以下、本考案の実施の形態について、添付図面を参照して詳細に説明する。
図１〜図３に示すように、本考案の実施の形態に係る鳥類忌避ゴミ収納具１は、第１枠体２と第２枠体３とネット４とから主に構成されている。
【００１７】
第１枠体２は、例えば、パイプのような管状体によって略コの字形状に形成されており、所定の間隔をあけて略平行をなすように配置された一対の支柱部２ａ，２ｂと、両支柱部２ａ，２ｂの一方の端部間を連結する連接部２ｃを有している。第１枠体２の一対の支柱部２ａ，２ｂの端部（第１端部）には、ゴミ集積場所の地上面や床面等の載置面上に鳥類忌避ゴミ収納具１を載置するために、両支柱部２ａ，２ｂが延在する方向と直交する方向に延在されたスタンド板５ａ，５ｂがそれぞれ固定されている。このスタンド板５ａ，５ｂは、鳥類忌避ゴミ収納具１を建物の壁や塀等に設置する場合は不要となるものである。
【００１８】
スタンド板５ａ，５ｂは、一対の支柱部２ａ，２ｂを載置面に対して略垂直の状態にして支持するもので、例えば、リボン状に細長く形成された金属製の板材によって形成されている。各支柱部２ａ，２ｂの先端は、各スタンド板５ａ，５ｂの長手方向の略中央部に溶接等の固着手段によって固定されている。各支柱部２ａ，２ｂと各スタンド板５ａ，５ｂとの間には、それぞれ２本の支持棒６，６が掛け渡されており、２本の支持棒６，６で各支柱部２ａ，２ｂを両側から支えている。各支持棒６の一端は、各支柱部２ａ，２ｂの先端から所定距離離れた位置において当該支柱部２ａ，２ｂを両側から挟むように配置されている。そして、これらと各支柱部２ａ，２ｂを貫通するボルト７及びナットからなる固定手段により、各支柱部２ａ，２ｂに対して着脱可能に固定されている。また、各支持棒６の他端は、ボルト８によって各スタンド板５ａ，５ｂの長手方向の両端に着脱可能に固定されている。
【００１９】
第２枠体３は、例えば、パイプのような管状体によって略コの字形状に形成されており、所定の間隔をあけて略平行をなすように配置された一対の支柱部３ａ，３ｂと、両支柱部３ａ，３ｂの一方の端部間を連結する連接部３ｃを有している。第２枠体３は、第１枠体２と略同程度の大きさに形成されており、第２枠体３の一対の支柱部３ａ，３ｂの先端側の端部は第１枠体２の一対の支柱部２ａ，２ｂの先端側に、それぞれ回動軸９によって回動自在に支持されている。
【００２０】
第２枠体３の一対の支柱部３ａ，３ｂの先端側の端部（第２端部）は、一対の支柱部３ａ，３ｂと連接部３ｃの略全体を結ぶことによって得られる平面に対して一面側に所定角度（本実施例では１５０°程度）湾曲させて形成している。これにより、一対の回動軸９，９で第１枠体２と第２枠体３を連結した状態において、両枠体２，３を近づけたときに、互いの一対の支柱部２ａ，２ｂ及び一対の支柱部３ａ，３ｂと連接部２ｃ及び連接部３ｃとが、それぞれ略平行となるように構成されている。そして、第１枠体２の連接部２ｃの長手方向の中途部には安全ストッパ１６を取り付けている。この安全ストッパ１６は、両枠体２，３を閉じた状態において、一対の支柱部２ａ，２ｂ及び一対の支柱部３ａ，３ｂと連接部２ｃ及び連接部３ｃとがするのを防止し、支柱部２ａ，３ａ及び２ｂ，３ｂ間や連接部２ｃ及び３ｃ間に指等が挟まれるのを防止するものである。
【００２１】
更に、第１枠体２と第２枠体３の間には、両者の連接部２ｃ及び連接部３ｃ側が所定距離以上に離れるのを防止するための２本の離反規制チェーン１０，１０が設けられている。各離反規制チェーン１０の一端は一対の支柱部２ａ，２ｂの連接部２ｃ側に固定され、他端は一対の支柱部３ａ，３ｂの連接部３ｃ側に固定されている。この離反規制チェーン１０，１０が伸びた状態が２つの枠体２，３が開いた状態、即ち、鳥類忌避ゴミ収納具１が開いた状態である。
【００２２】
更に、第１枠体２の一対の支柱部２ａ，２ｂの第１端部間には、一対の支柱部２ａ，２ｂの変形を防止するための変形防止ロッド１７が掛け渡されて一体的に固定されている。この変形防止ロッド１７は、一対の支柱部２ａ，２ｂが互いに内側へ曲げられたり、外側へ曲げられたりするのを防止するものである。変形防止ロッド１７の材質としては、例えば、金属性の丸棒、角棒、パイプ等を用いることができる。そして、変形防止ロッド１７の両端は、溶接等の固着手段によって各支柱部２ａ，２ｂに固定する。
【００２３】
第２枠体３の連接部３ｃの長手方向の略中央部には、第２枠体３を第１枠体２側に固定するための固定具１１が取り付けられている。固定具１１は、第２枠体３に固定するための固定部１１ａと、この固定部１１ａに回動可能に連結された係止部１１ｂとを有している。第２枠体３を第１枠体２に接触させた状態で係止部１１ｂを第１枠体２の連接部２ｃに掛け止めることにより、鳥類忌避ゴミ収納具１が閉じた状態となる。固定具１１の材質としては、例えば、ステンレス鋼、スチール鋼等の金属が好適であるが、ＡＢＳ（アクリロニトリル・ブタジエン・スチレン樹脂）、ＰＣ（ポリカーボネート）等のプラスチックを適用することもできる。この固定具１１によれば、鳥類忌避ゴミ収納具１の開閉動作を簡単且つ確実に行うことができる。なお、固定部１１ａは、取付ネジ１２によって連接部３ｃに着脱可能に取り付けられている。
【００２４】
上述した第１枠体２と第２枠体３とスタンド板５ａ，５ｂと支持棒６〜６と回動軸９，９と固定具１１と安全ストッパ１６と変形防止ロッド１７によって第１の実施例に係る枠体組立体１８が構成されている。本考案に係る枠体組立体は、この実施例に限定されるものではなく、例えば、スタンド板５ａ，５ｂと支持棒６〜６と変形防止ロッド１７を廃止して第１枠体２と第２枠体３と回動軸９，９と固定具１１と安全ストッパ１６で構成することができる。この場合には、例えば、第１枠体を建物の壁や塀等の建築物の壁面に取り付けるようにして使用することができる。また、部品点数を削減することにより、製造費を安くすることができる。
【００２５】
ネット４は、第１枠体２の支柱部２ａ，２ｂ及び連接部２ｃとの間に展開される第１面領域１４ａと、第２枠体３の支柱部３ａ，３ｂ及び連接部３ｃとの間に展開される第２面領域１４ｂと、第１面領域１４ａと第２面領域１４ｂとの間に展開される左右の側面領域１４ｃ，１４ｄと、第１面領域１４ａと第２面領域１４ｂと左右の側面領域１４ｃ，１４ｄとの間に展開される底面領域とを有し、全体として上面に開口されて袋状に構成されている。ネット４は、伸び縮みする弾性を有するプラスチック、布、ゴム等の材料によって形成されており、例えば、多数の縦糸と多数の横糸を格子状に織り込むことによって構成される。ネット４の表面には光触媒がコーティングされており、この光触媒のコーティングでホコリや汚れ等が付着し難いように構成している。そして、ネット４の開口側の縁には、縦糸及び横糸の解れを防止する縁綴じ部１５が無端状に連続するように設けられている。
【００２６】
ネット４の網目の大きさは、忌避目的の対象とする鳥の種類によっても異なるが、カラスやハト等の鳥類の頭の大きさよりも少し小さく設定する。例えば、カラスを忌避対象とする場合には、網目の大きさは一辺が３ｃｍ程度の正方形に形成し、また、ハトを忌避対象とする場合には、網目の大きさは一辺が２ｃｍ程度の正方形に形成すると良い。
【００２７】
一般に、カラスの頭の大きさは３ｃｍ程度であり、ハトの頭の大きさは２ｃｍ程度だからである。即ち、網目の大きさを一辺３ｃｍより大きく設定すると、その網目にカラスが頭を差し込むことにより、カラスの頭が網目に引っ掛かって抜け出なくなるおそれがあるからである。同様に、網目の大きさを一辺２ｃｍより大きく設定すると、その網目にハトが頭を差し込むことにより、ハトの頭が網目に引っ掛かって抜け出なくなるおそれがあるからである。なお、ネット４の網目の大きさは、収容するゴミ袋よりも小さい必要があることは勿論である。
【００２８】
また、ネット４の網目の形状は、上述した四角形のものに限定されるものでないことは勿論である。ネット４の網目の他の形状としては、例えば、亀甲形、菱形、三角形その他各種形状のものを適用することができる。
【００２９】
図２及び図３に示すように、ネット４の、鳥類忌避ゴミ収納具１が置かれる地上面（載置面）Ｅから所定の高さ位置Ｈに、複数の磁石２０が取り付けられている。図示した実施例では、ネット４の第２面領域１４ｂの所定の高さ位置Ｈに、複数（本実施例では８個）の磁石２０が横方向（地上面と平行をなす方向）へ所定の間隔をあけて横並びに配置した例について説明している。しかしながら、磁石２０は、第１面領域１４ａに設けてもよく、また、第２面領域１４ｂと第１面領域１４ａの両方、或いは、これらに左右の側面領域１４ｃ，１４ｄを加えた３面又は４面に配置する構成としてもよい。
【００３０】
磁石２０が取り付けられるネット４の所定高さ位置Ｈは、対象とする鳥類の種類によっても異なるが、カラスの場合は２４〜２６ｃｍ程度、ハトの場合は１０〜１２ｃｍ程度が好適である。その理由は、一般的に、カラスの成鳥の頭の高さが地上面（載置面）Ｅから２５ｃｍ程度であり、ハトの成鳥の頭の高さが地上面（載置面）Ｅから１１ｃｍ程度だからである。なお、ここでは、鳥類としてカラスとハトを例にとって説明するが、これらカラス及びハトは、ゴミ集積場所に集まる鳥類として代表的な鳥だからであり、他の鳥類に対して適用できることは勿論である。
【００３１】
ここで、ネット４の所定高さ位置Ｈに磁石２０を配置する理由は、カラスやハト等の鳥類は磁石の磁場に発生する磁力を嫌がることが知られており、磁力をカラスやハトの脳に作用させると、カラスやハトをその場から退散させることができるためである。そのための磁石２０の磁力の強さは、１０００ガウス〜１５００ガウスの範囲内にあることが好ましく、好適な強さは１３００ガウス程度である。その理由は、磁力が１０００ガウス未満の場合には、磁力の強度が弱いためにカラスやハトに対する磁力の影響が少なく、カラス等を退散させることが困難だからである。また、磁力が１５００ガウス以上の場合には、周囲の環境に対する磁力の影響が大きくなりすぎてしまい、電波妨害等の弊害を生じるおそれがあるからである。磁力が１３００ガウス程度である場合には、その磁場に近づくカラスやハトに対して、その磁力を確実に作用させてカラスやハトを確実に忌避させることができる。
【００３２】
磁石の大きさは、発生する磁力の強さが１０００ガウス〜１５００ガウスの範囲内のものであれば、各種の大きさ、形状のものを適用することができる。図５Ａ〜５Ｄは、磁石２０を２個の磁石分割片２０ａ，２０ｂで形成し、これを組み立てることにより全体として１個の球体からなる磁石２０を構成したものである。図５Ａは、ネット４を２個の磁石分割片２０ａ，２０ｂで両側から挟み、接着剤で２個の磁石分割片２０ａ，２０ｂを接合した例を示すものである。この場合、図５Ｂに示すように、２個の磁石分割片２０ａ，２０ｂの各接着面には、２つの縦糸用の縦溝２１，２１と、２つの横糸用の横溝２２，２２がそれぞれ設けられている。このように、縦溝２１，２１内にネット４の縦糸を収容し、横溝２２，２２内に横糸を収容することにより、２個の磁石分割片２０ａ，２０ｂの各接着面を突き合わせて接合することができる。
【００３３】
図５Ｃは、磁石分割片２０ａ，２０ｂの各接着面に、１つの縦糸用の縦溝２１と、１つの横糸用の横溝２２を設けた実施例を示すものである。また、図５Ｄは、磁石分割片２０ａ，２０ｂの各接着面に、３つの縦糸用の縦溝２１〜２１と、３つの横糸用の横溝２２〜２２を設けた実施例を示すものである。このように、縦溝及び横溝の数は、上記実施例に限定されるものではない。
【００３４】
図６Ａ〜６Ｃは、２個の磁石分割片２０ａ，２０ｂの固定手段の他の実施例を示すものである。これらの実施例では、２個の磁石分割片２０ａ，２０ｂには、その中央部を貫通するように貫通穴２３が設けられている。図６Ａは、ネット４を挟むように配置された２個の磁石分割片２０ａ，２０ｂの貫通穴２３，２３に割りピン２４を挿通し、その先端を折り曲げて、割りピン２４で固定する例を示したものである。図６Ｂは、ネット４を挟むように配置された２個の磁石分割片２０ａ，２０ｂの貫通穴２３，２３にロックピン２５を挿通し、その先端をカシメて、ロックピン２５でカシメ止めする例を示したものである。また、図６Ｃは、ネット４を挟むように配置された２個の磁石分割片２０ａ，２０ｂの貫通穴２３，２３に固定ネジ２６を挿通し、その先端にナット２７を螺合させて、ネジ２６とナット２７で固定する例を示したものである。
【００３５】
図７は、ネット４に取り付けられる複数の磁石２０の横方向の取付間隔Ｆを説明するものである。この横方向の間隔Ｆは、磁石２０の大きさによって異なるが、隣り合う磁石２０，２０の、少なくとも互いの磁場Ｇの一部（ある程度の影響力を有する強度を備えた範囲）の領域が重なり合うように配置する。例えば、磁石２０の磁力を１３００ガウスに設定した場合において、磁石２０の直径を１０ｍｍとした場合には、横方向の間隔Ｆは２４ｃｍ、磁石２０の直径を８ｍｍとした場合に横方向の間隔Ｆは２０ｃｍ、磁石２０の直径を１２ｍｍとした場合に横方向の間隔Ｆは２７ｃｍ、磁石２０の直径を１５ｍｍとした場合に横方向の間隔Ｆは３０ｃｍ、磁石２０の直径を２０ｍｍとした場合に横方向の間隔Ｆは３５ｃｍ程度に設定するとよい。これにより、隣り合う磁石２０，２０間において、互いの磁場の一部を重ね合わせることができ、ネット４の周囲に隙間なく磁気を発生させることができる。なお、横方向の間隔Ｆは、全ての間隔を等しく（Ｆ１＝Ｆ２＝Ｆ３＝‥＝Ｆｎ）設定してもよく、また、一部若しくは全ての間隔を異ならせる（例えば、Ｆ１＞Ｆ２＝Ｆ３＝‥＜Ｆｎ）構成としてもよい。
【００３６】
図８Ａ〜８Ｃは、ネット４に取り付ける磁石の形状及び取付方法の他の実施例を示す。図８Ａは、磁石をドーナッツ形に形成し、そのドーナッツ形磁石３１を取付バンド３２でネット４に取り付ける構成としたものである。取付バンド３２は、リボン状に形成されたバンド部３２ａと、このバンド部３２ａの一側に設けられた挟持部３２ｂとを有している。バンド部３２ａを磁石３１の穴に貫通させ、その一側を挟持部３２ｂに挿通させて締め込むことにより、取付バンド３２を介して磁石３１がネット４に着脱可能に取り付けられる。取付バンド３２の材質としては、例えば、ＡＢＳ等のプラスチックやステンレス鋼等の金属を用いることができる。
【００３７】
図８Ｂは、磁石をブロック状の直方体に形成し、その直方体磁石３４の一面に取付フック３５を設け、その取付フック３５でネット４に取り付ける構成としたものである。取付フック３５は、略Ｕ字状に形成し、その一辺を磁石３４に接着剤等で固定すると共に、他辺に弾性を付与するように構成する。この取付フックの係止片をネット４の横糸に掛け止めることにより、磁石３４をネット４に着脱可能に取り付けることができる。
【００３８】
図８Ｃは、磁石を球体として形成し、その球体磁石３７の中央部を貫通する貫通穴３８を設け、その球体磁石３７を取付バンド３２でネット４に取り付ける構成としたものである。このように構成することによっても、様々な形状の磁石をネット４に固定又は着脱可能に取り付けることができる。
【００３９】
ネット４は、例えば、次のようにして枠体組立体１８に取り付けることができる。図１には、ネット４を第１枠体２及び第２枠体３に取り付けるための複数の取付バンド４０を示している。そして、図２には、複数の取付バンド４０によってネット４が枠体組立体１８に取り付けられた状態を示している。取付バンド４０は、取付バンド３２と略同様の構成からなっており、リボン状に形成されたバンド部４０ａと、このバンド部４０ａの一側に設けられた挟持部４０ｂとを有している。
【００４０】
図１に示したように、ネット４を、その底面領域側から第１枠体２と第２枠体３の開口側に差し込み、ネット４の第１面領域１４ａの縁綴じ部１５を第１枠体２の連接部２ｃに沿わせ、同じく第２面領域１４ｂの縁綴じ部１５を第２枠体３の連接部３ｃに沿わせる。そして、複数本の取付バンド４０を用いてネット４の各縁綴じ部１５を各連接部２ｃ，３ｃに締め付け固定する。この実施例では、各連接部２ｃ，３ｃに対して４個の取付バンド４０を使用しているが、各連接部２ｃ，３ｃの数はこの実施例に限定されるものではなく、３本以下であってもよく、また、５本以上を使用してもよいことは勿論である。
【００４１】
このように、ネット４を枠体組立体１８に取り付けることにより、図２に示すような構成を有する鳥類忌避ゴミ収納具１を作成することができる。なお、ネット４を枠体組立体１８に取り付ける方法は、上述した取付バンド４０を用いるものに限定されるものではなく、例えば、針金や紐等を用いて行うことができることは勿論である。
【００４２】
このような構成を有する鳥類忌避ゴミ収納具１は、例えば、次のようにして使用することができる。
図２及び図４は、ネット４に多数のゴミ袋５０を収容した状態を示している。鳥類忌避ゴミ収納具１は、ゴミ集積場所の平らなコンクリート面や地面等の地上面に載置して使用する。この鳥類忌避ゴミ収納具１にゴミ袋５０を収納する場合は、第２枠体３の連接部３ｃに取り付けられている固定具１１の係止部１１ｂを第１枠体２の連接部２ｃから引き剥がす。そして、第１枠体２の支柱部２ａ，２ｂの先端部と第２枠体３の支柱部３ａ，３ｂの先端部とを回動可能に連結する２つの回動軸９，９を回動中心として、第２枠体３の連接部３ｃを第１枠体２の連接部２ｃから離れる方向に移動させる。
【００４３】
これにより、ネット４の開口側が大きく開かれ、ネット４へのゴミ袋５０の投入が可能となる。そこで、ネット４の開口部からゴミ袋５０をネット４内に投入し、その後、ネット４の開口部を閉じるように第２枠体３の連接部３ｃを第１枠体２の連接部２ｃに近づけ、固定具１１の係止部１１ｂを第１枠体２の連接部２ｃに掛け止める。これにより、図２に示すような状態となり、ネット４の開口部を閉じて、ネット４内に複数のゴミ袋５０を収納することができる。
【００４４】
このとき、図４に示すように、ネット４の地上面Ｅから所定の高さ位置Ｈには、一又は二以上の磁石２０が取り付けられており、その高さ位置Ｈは、地上面Ｅからカラスやハト等の鳥類の頭の高さと略等しい位置に設定されている。そのため、所定の高さ位置Ｈが、例えば、２４〜２６ｃｍ程度である場合には、地上面Ｅを歩いて鳥類忌避ゴミ収納具１に近づくカラスの脳に磁石２０の磁力を効果的に作用させて、カラス６０を追い払うことができる。これにより、ネット４内に収納されているゴミ袋５０がカラス６０の嘴により突かれて破かれ、ゴミ袋５０内に収納されている生ゴミ等が周囲に飛散するのを防止することができる。
【００４５】
また、所定の高さ位置Ｈが、例えば、１０〜１２ｃｍ程度である場合には、地上面Ｅを歩いて鳥類忌避ゴミ収納具１に近づくハトの脳に磁石２０の磁力を作用させて、ハトを効果的に追い払うことができる。
【００４６】
鳥類忌避ゴミ収納具１からゴミ袋５０を取り出す場合には、固定具１１の係止部１１ｂを第１枠体２の連接部２ｃから引き剥がし、第２枠体３の連接部３ｃを第１枠体２の連接部２ｃから離間させる。これにより、ネット４の開口部が大きく開口され、その開口部からゴミ袋５０の取り出しが可能となる。また、前記実施例においては、複数の磁石２０を横一列に配置した例について説明したが、複数個の磁石２０を上下に複数列配置する構成とすることができることは勿論である。例えば、磁石２０の配列高さを１２ｃｍと２５ｃｍの２列に設定することにより、カラスとハトの両者を共に忌避することができる。
【００４７】
図９は、本考案の鳥類忌避ゴミ収納具に係る枠体組立体の第２の実施例を示すもので、固定スタンド７１に対して枠体組立体７０を着脱可能に構成したものである。枠体組立体７０は、第１枠体２と第３枠体３を有しており、第１枠体２の一対の支柱部２ａ，２ｂの第１端部から少し内側に入った部分に第２枠体３の一対の支柱部３ａ，３ｂの第２端部が回動軸９，９によってそれぞれ回動自在に支持されている。
【００４８】
固定スタンド７１は、２枚のスタンド板５ａ，５ｂと、各スタンド板５ａ，５ｂの長手方向の略中央部に立設された金属製のパイプからなる筒状軸受部７２によって構成されている。筒状軸受部７２の下端は、溶接等の固着手段によって各スタンド板５ａ，５ｂに固定されている。また、筒状軸受部７２の軸方向（高さ方向）の中途部にはナット７３が溶接等の固着手段により固定されていて、このナット７３に固定ネジ７４が螺合されている。固定ネジ７４は、筒状軸受部７２に挿入された第１枠体２の一対の支柱部２ａ，２ｂの各先端部（第１端部）を側方から押圧し、第１枠体２の一対の下端部を固定スタンド７１に着脱可能に固定するものである。
【００４９】
以上説明したが、本考案は上述した実施例に限定されるものではなく、その趣旨を逸脱しない範囲内で各種の変形実施が可能である。例えば、上記実施例においては第１枠体及び第２枠体をパイプ状の部材で構成したが、ベルト状の板材等で構成することもできる。
【符号の説明】
【００５０】
１‥鳥類忌避ゴム収納具、  ２‥第１枠体、  ２ａ，２ｂ‥支柱部、  ２ｃ‥連接部、  ３‥第２枠体、  ３ａ，３ｂ‥支柱部、  ３ｃ‥連接部、  ４‥ネット、  ５ａ，５ｂ‥スタンド板、  ６‥支持棒、  ９‥回動軸、  １０‥離反規制チェーン、  １１‥固定具、  １１ａ‥固定部、  １１ｂ‥係止部、  １５‥縁綴じ部、  １６‥安全ストッパ、  １７‥変形防止ロッド、  ２０‥磁石、  ２０ａ，２０ｂ‥磁石分割片、  ２４‥割りピン、  ２５‥ロックピン、  ２６‥固定ネジ、  ３１‥ドーナッツ形磁石、  ３２‥取付バンド、  ３４‥直方体磁石、  ３５‥取付フック、  ３７‥球体磁石、  ４０‥取付バンド、  ５０‥ゴミ袋、  ６０‥カラス（鳥類）、  ７０‥枠体組立体、  ７１‥固定スタンド、  ７２‥筒状軸受部、  ７４‥固定ネジ、  Ｅ‥地上面、  Ｈ‥鳥類の頭の高さ
【図１】
0003183186.tif 000003
【図２】
0003183186.tif 000004
【図３】
0003183186.tif 000005
【図４】
0003183186.tif 000006
【図５】
0003183186.tif 000007
【図６】
0003183186.tif 000008
【図７】
0003183186.tif 000009
【図８】
0003183186.tif 000010
【図９】
0003183186.tif 000011
【図１０】
0003183186.tif 000012